(57)【要約】【課題】伸縮性および柔軟性が良好であり、製造が容易な傷保護材を提供する。【解決手段】傷保護材11は、肌接触面12と非肌接触面13とを備えかつ少なくとも一方向に伸縮性を有する基材シート14と、この基材シート14の肌接触面12に設けられた接着剤層15と、この接着剤層15を介して基材シート14の肌接触面12の一部に接着され、創傷部に当接するパッド材16とを具備する。パッド材16に、このパッド材16における一方の縁部から対向する他方の縁部にわたって、基材シート14の伸縮方向と交差方向の切込部17が形成する。この切込部17によって、基材シート14の伸張に伴い、パッド材16が伸張および分断可能となるので、傷保護材11の伸縮性および柔軟性が向上できる。【選択図】図１
2008259629.tif 000002
【特許請求の範囲】
【請求項１】
肌接触面と非肌接触面とを備えかつ少なくとも一方向に伸縮性を有する基材シートと、
この基材シートの肌接触面に設けられた接着剤層と、
この接着剤層を介して前記基材シートの肌接触面の一部に接着され、創傷部に当接されるパッド材と
を具備し、
前記パッド材には、
このパッド材における一方の縁部から対向する他方の縁部にわたって、前記基材シートの伸縮方向と交差方向の切込部が形成された
ことを特徴とする傷保護材。
【請求項２】
切込部は、
パッド材における一方の縁部から対向する他方の縁部にわたって複数形成され、
これらの切込部のいずれかは他の切込部と異なる方向へ延びている
ことを特徴とする請求項１記載の傷保護材。
【請求項３】
切込部は、
パッド材を断面方向に貫通して形成された
ことを特徴とする請求項１または２記載の傷保護材。
【請求項４】
切込部は、所定の幅を有する溝部を形成し、
パッド材は、
それぞれが溝部を介して離間された小パッドにより構成された
ことを特徴とする請求項１ないし３のいずれか記載の傷保護材。
【発明の詳細な説明】
【技術分野】
【０００１】
本発明は、創傷部を覆い保護するための傷保護材に関する。
【背景技術】
【０００２】
従来、傷保護材は、創傷部を覆うことで保護し、例えば血液や膿などの滲出液を吸収して、前記創傷部の治療のための補助材として使用される。
【０００３】
このような傷保護材は、前記創傷部に当接して覆うパッド材と、そのパッド材を支持するための基材シートと、基材シート上に設けられた接着剤層とから構成されており、使用時にこの接着剤層が着用者の皮膚表面に貼着されることで、前記傷保護材が前記創傷部一帯に保持される。
【０００４】
ここで、体表面には凹凸があり、さらに、例えば指、肘、膝等のような関節部では屈曲運動が反復して生じるため、貼着された傷保護材が剥がれ易く、このような部分に前記傷保護材を貼着するには、前記屈曲運動に適応し得るように前記傷保護材の伸縮性および柔軟性を向上させる必要がある。
【０００５】
そして、吸収性を有するパッド材と、伸縮性および柔軟性に優れ、着用者の皮膚に適合し得るフォームまたは織物支持体により形成される基材シートと、生体適合性があり着用者の皮膚に適合し得る感圧性接着剤により形成される接着剤層とから傷保護材を構成することで、伸縮性および柔軟性が向上された傷保護材が知られている（例えば、特許文献１参照。）
【特許文献１】特開平８−３８５４３号公報（第３頁、図１）
【発明の開示】
【発明が解決しようとする課題】
【０００６】
しかしながら、上述した特許文献１の傷保護材では、基材シートおよび接着剤層における伸縮性および柔軟性は良好だが、パッド材に関しては殆ど伸縮しないので例えば関節部の屈曲運動等に適応できず、それに伴って、前記基材シートのパッド材近傍の部分においても前記屈曲運動に適応できない。
【０００７】
従って、前記傷保護材が前記屈曲運動に適応するためには、パッド材の伸縮性および柔軟性についても向上する必要があり、このような伸縮性および柔軟性とパッド材として必要な吸収性とを備えた素材は限定され、それにともなってパッド材の構成も限定されてしまうので、製造が容易ではない。
【０００８】
本発明は、このような点に鑑みなされたもので、伸縮性および柔軟性が良好であり、製造が容易な傷保護材を提供することを目的とする。
【課題を解決するための手段】
【０００９】
請求項１に記載された発明は、肌接触面と非肌接触面とを備えかつ少なくとも一方向に伸縮性を有する基材シートと、この基材シートの肌接触面に設けられた接着剤層と、この接着剤層を介して前記基材シートの肌接触面の一部に接着され、創傷部に当接されるパッド材とを具備し、前記パッド材には、このパッド材における一方の縁部から対向する他方の縁部にわたって、前記基材シートの伸縮方向と交差方向の切込部が形成された
傷保護材である。
【００１０】
請求項２に記載された発明は、請求項１記載の傷保護材において、切込部は、パッド材における一方の縁部から対向する他方の縁部にわたって複数形成され、これらの切込部のいずれかは他の切込部と異なる方向へ延びているものである。
【００１１】
請求項３に記載された発明は、請求項１または２記載の傷保護材において、切込部は、パッド材を断面方向に貫通して形成されたものである。
【００１２】
請求項４に記載された発明は、請求項１ないし３のいずれか記載の傷保護材において、切込部は、所定の幅を有する溝部を形成し、パッド材は、それぞれが溝部を介して離間された小パッドにより構成されたものである。
【発明の効果】
【００１３】
請求項１に記載された発明によれば、パッド材に、基材シートの伸縮方向と交差方向の切込部が形成されたことで、前記基材シートの伸張に伴い、前記パッド材が切込部によって伸張および分断可能であるので、傷保護材の伸縮性および柔軟性を向上できる。
【００１４】
さらに、パッド材に前記切込部を設けることで構成できるので、素材や構成の限定がなく製造が容易である。
【００１５】
また、前記傷保護材が伸張されて、前記パッド材が前記切込部により分断された状態では、この切込部によって滲出液が前記パッド材全体に伝わるので、滲出液を効率的に吸収できる。
【００１６】
請求項２に記載された発明によれば、パッド材に、複数の切込部が形成され、これらの切込部のいずれかは異なる方向へ延びていることで、基材シートの伸張に伴い、前記パッド材が切込部によって複数方向に伸張および分断可能であるので、傷保護材の伸縮性および柔軟性をより向上できる。
【００１７】
さらに、前記傷保護材が伸張されて、前記パッド材が前記切込部により分断された状態では、この切込部によって滲出液が前記パッド材全体に伝わるので、滲出液を効率的に吸収できる。
【００１８】
請求項３に記載された発明によれば、パッド材を断面方向に貫通して切込部を形成することで、基材シートの伸張に伴い、前記パッド材が切込部によってよりスムーズに伸張および分断できるので、傷保護材の伸縮性および柔軟性をより向上できる。
【００１９】
さらに、前記傷保護材が伸張されて、前記パッド材が前記切込部により分断された状態では、この切込部によって滲出液が前記パッド材全体に伝わるので、滲出液を効率的に吸収できる。
【００２０】
請求項４に記載された発明によれば、切込部が溝部を形成し、それぞれが溝部を介して離間された小パッドによりパッド材が構成されたことで、基材シートの伸張に伴い、前記パッド材が前記溝部によって複数方向にスムーズに伸張できるので、傷保護材の伸縮性および柔軟性をより向上できる。
【００２１】
さらに、前記基材シートおよび前記パッド材が非伸張状態であっても、前記溝部によって滲出液が前記パッド材全体に伝わるので、滲出液を効率的に吸収できる。
【発明を実施するための最良の形態】
【００２２】
以下、本発明の第１の実施の形態の構成を図１または図２を参照しながら詳細に説明する。
【００２３】
図１（ａ）（ｂ）に示されるように、傷保護材11は、例えば救急用の絆創膏であり、切り傷や擦り傷等の創傷部に貼着して傷口を覆うことで保護し、治療のための補助材として使用される。
【００２４】
そして、この傷保護材11は、肌接触面12と非肌接触面13とを備えかつ少なくとも一方向に伸縮性を有する基材シート14と、この基材シート14の非肌接触面13に設けられた接着剤層15と、この接着剤層15を介して基材シート14の非肌接触面13の一部に接着され、創傷部に当接されるパッド材16とにより層状に形成されている。
【００２５】
基材シート14の材質は、伸縮性および柔軟性を有するものであれば限定されず、例えば合成樹脂フィルムや織布シート、不織布シート等、使用用途に合わせて適宜選定でき、また、単層シートでも異なる材質からなる積層シートでもよい。
【００２６】
なお、基材シート14の通気性を向上させるため、基材シート14には複数の微細孔が設けられると好ましい。
【００２７】
基材シート14の厚さ寸法は限定されないが、厚さ寸法が０．０１ｍｍ未満になると、基材シート14の強度が低下して伸張時に破損し易くなり、また、厚さ寸法が０．１ｍｍを超えると基材シート14の伸縮性や柔軟性が低下してしまう可能性があるので、基材シート14の厚さ寸法は０．０１〜０．１ｍｍが好ましい。
【００２８】
さらに、基材シート14の形状は限定されないが、略矩形状であると傷保護材11を着用する際の操作性が良好であるので好ましい。
【００２９】
接着剤層15は、基材シート14の肌接触面12の略全面に接着剤を塗布することで形成され、基材シート14とパッド材16とを接着し、傷保護材11の着用時には、傷保護材11を創傷部一帯に保持する。
【００３０】
ここで、接着剤層15に設けられる接着剤は、皮膚に対して毒性や刺激性を示さないものであれば限定されず、例えば、ゴム系、アクリル系、シリコン系等の接着剤を適宜選定できる。
【００３１】
パッド材16は、基材シート14の大きさより小さく、接着剤層15により基材シート14に接着され、傷保護材11の着用時に、創傷部に当接されて、例えば血液や膿等の滲出液を吸収し、治療の補助をする。
【００３２】
パッド材16の配設位置は限定されないが、基材シート14の肌接触面12における略中央部に配設されると、傷保護材11の操作性や着用者の皮膚に対する接着強度が良好であり好ましい。
【００３３】
また、パッド材16の形状は限定されず、例えば平面視で、矩形状、円形状、楕円形状等の形状を適宜選定できる。
【００３４】
パッド材16の材質は、必要とされる吸収性を有するものであれば限定されず、例えばガーゼ、脱脂綿、不織布等から適宜選定でき、さらに、これらのガーゼ、脱脂綿、不織布等を複合させて形成してもよい。
【００３５】
なお、パッド材16は、伸縮性を有する必要はないが、伸縮性を有する素材で形成すると、基材シート14の伸張に伴い、パッド材16自体が伸張でき、傷保護材11の伸縮性および柔軟性をより向上できる。
【００３６】
また、パッド材16の表面に、ポリエチレンやナイロン等のネットや孔あきフィルムが配設されると、使用後に傷保護材11を剥がす際に、パッド材16が創傷部から剥がし易く好ましい。
【００３７】
そして、パッド材16には、このパッド材16における一方の縁部から対向する他方の縁部にわたって、つまり図１における矩形状のパッド材16の幅方向に沿って、基材シート14の伸縮方向と交差方向の切込部17が形成され、この切込部17が形成されたことで、図２（ａ）（ｂ）に示されるように、基材シート14の伸張に伴い、パッド材16が切込部17によって伸張および分断できるので、基材シート14のパッド材16が配設された部分も伸張できる。
【００３８】
切込部17は、矩形状のパッド材16における幅方向に形成されることに限定されず、パッド材16の一方の縁部から対向する他方の縁部にわたって形成されていればよい。また、切込部16の形状は限定されず、連続直線状に形成してもよいが、間欠直線状や曲線状に形成してもよい。
【００３９】
さらに、切込部17は、パッド材16を断面方向に貫通して形成されると、基材シート14の伸張に伴い、パッド材16が切込部17によってスムーズに伸張および分断できるので好ましいが、貫通して形成されることに限定はされず、非貫通であってもよい。なお、非貫通の切込部17が形成された場合は、パッド材16の肌接触側または基材シート14との接触側のどちらに切込部17を形成してもよい。
【００４０】
次に、上記第１の実施の形態の作用を説明する。
【００４１】
傷保護材11の着用に際しては、パッド材16を創傷部に当接させ、基材シート14の肌接触面12に設けられた接着剤層15を創傷部一帯の皮膚に貼着させることで、傷保護材11の貼着位置を保持する。なお、使用前の傷保護材11は、基材シート14の肌接触面12に設けられた接着剤層15およびパッド材16が剥離紙により覆われているので、剥離紙を剥がして傷保護材11を貼着するする。
【００４２】
そして、創傷部一帯に貼着状態の傷保護材11において、貼着された位置が例えば関節部のように反復して屈曲運動される部分であると、傷保護材11の基材シート14および接着剤層15は伸張可能であるので屈曲運動に適応できるが、パッド材16は伸張できず、それに伴って基材シート14のパッド材16が配設された部分も伸張できなくなってしまうので、屈曲運動に適応できず、傷保護材11が剥がれ易くなってしまう。
【００４３】
そこで、傷保護材11のパッド材16における一方の縁部から対向する他方の縁部にわたって、基材シート14の伸縮方向と交差方向の切込部17を形成することで、基材シート14の伸張に伴い、パッド材16が切込部17によって伸張および分断できるので、傷保護材11の伸縮性および柔軟性が向上でき、例えば関節部等の屈曲運動にも適応できる。
【００４４】
さらに、パッド材16に切込部17を設けることで構成できるので、素材や構成の限定がなく製造も容易である。
【００４５】
切込部17は、パッド材16の断面方向に対して、貫通して形成されても、非貫通で形成されてもよく、非貫通の切込部17が形成された場合は、パッド材16の肌接触側または基材シート14との接触側のどちらに切込部17を形成してもよく、切込部17をパッド材16の基材シート14側に形成すると、傷保護材11の着用時の切込部17による違和感を防止でき、さらに、切込部17を目立ち難くできるので好ましい。
【００４６】
また、パッド材16を断面方向に貫通して切込部17を形成すると、基材シート14の伸張に伴い、パッド材16が切込部17によってよりスムーズに伸張および分断でき、傷保護材11の伸縮性および柔軟性がより向上できる。
【００４７】
次に、第２の実施の形態を図３を参照して説明する。なお、上記の実施の形態と同様の構成および作用については、同一符号を付してその説明を省略する。
【００４８】
図３に示すように、切込部17が、パッド材16における一方の縁部から対向する他方の縁部にわたって、基材シート14の伸縮方向と交差方向に２つ設けられている。つまり、矩形状のパッド材16における幅方向に２つの切込部17が形成されている。
【００４９】
このように、２つの切込部17が設けられることで、パッド材16が切込部17によって２箇所で伸張および分断でき、それに伴って、傷保護材11の伸縮性および柔軟性をより向上できる。
【００５０】
なお、切込部17の形成される位置は、矩形状のパッド材16における幅方向に限定はされず、パッド材16における一方の縁部から対向する他方の縁部にわたっていればよい。また、切込部17の数も複数であれば限定されない。
【００５１】
次に、第３の実施の形態を図４を参照して説明する。なお、上記の実施の形態と同様の構成および作用については、同一符号を付してその説明を省略する。
【００５２】
図４に示されるように、切込部17は、パッド材16を断面方向に貫通せず、パッド材16の肌接触側に、切込部17の断面の形状が略Ｖ字型に形成されている。
【００５３】
このように、切込部17を略Ｖ字型に形成することで、パッド材16が伸張可能となるので、傷保護材11の伸縮性および柔軟性を向上でき、さらに、曲面を有する創傷部に対するパッド材16の密着度を向上できる。
【００５４】
次に、第４の実施の形態を図５を参照して説明する。なお、上記の実施の形態と同様の構成および作用については、同一符号を付してその説明を省略する。
【００５５】
図５（ａ）に示されるように、切込部17は、一方の縁部から対向する他方の縁部にわたって複数形成され、これらの切込部17のいずれかは他の切込部17に対して直交するように形成されている。つまり、略矩形状のパッド材16における長手方向および幅方向の一方の縁部から対向する他方の縁部にわたって複数形成され、これらの切込部17のいずれかは、他の切込部17と直行している。
【００５６】
このように、直交する切込部17が形成されることで、図５（ｂ）に示されるように、基材シート14の伸張に伴い、パッド材16が切込部17によって２方向に伸張および分断できるので、傷保護材11の伸縮性および柔軟性をより向上できる。
【００５７】
また、切込部17が形成される位置は限定されないが、複数形成された切込部17のいずれかが、略矩形状のパッド材16において、パッド材16の長手方向の一方の縁部から対向する他方の縁部にわたって形成され、さらに、パッド材16が対称になるように切込部17が設けられると、傷保護材11が伸張された際に、切込部17によって伸張および分断されたパッド材16のバランスがよいので、伸張および分断しやすく、また、切込部17によって滲出液がパッド材16全体に伝わるので、滲出液を効率的に吸収できる。
【００５８】
次に、第５の実施の形態を図６を参照して説明する。なお、上記の実施の形態と同様の構成および作用については、同一符号を付してその説明を省略する。
【００５９】
図６に示されるように、略矩形状のパッド材16において、一方の縁部から対向する他方の縁部にわたって、それぞれが交差する複数の切込部17が、パッド材16の長手方向および幅方向に対して斜めに形成されている。つまり、矩形状のパッド材16における対角線に沿って、それぞれが交差する複数の切込部17が形成されている。
【００６０】
このように、複数の切込部17が、それぞれ交差するようにパッド材16の長手方向および幅方向に対して斜めに形成されたことで、パッド材16が切込部17によって４方向に伸張および分断できるので、傷保護材11の伸縮性および柔軟性をより向上できる。
【００６１】
また、切込部17が形成される位置は限定されないが、パッド材16が対称になるように、略矩形状のパッド材16における対角線に沿って、それぞれが交差する複数の切込部17が形成されることで、傷保護材11が伸張されて、パッド材16が切込部17により分断された状態では、切込部17によって滲出液がパッド材16全体に伝わるので、滲出液を効率的に吸収できるので好ましい。
【００６２】
次に、第６の実施の形態を図７を参照して説明する。なお、上記の実施の形態と同様の構成および作用については、同一符号を付してその説明を省略する。
【００６３】
図７に示されるように、矩形状のパッド材16において、切込部17がパッド材16の長手方向および幅方向の一方の縁部から対向する他方の縁部にわたって、少なくとも一部が他の切込部17と直交するように複数形成され、さらに、それぞれが交差する複数の切込部17がパッド材16の長手方向および幅方向に対して斜めに形成されている。つまり、矩形状のパッド材16における対角線に沿って切込部17が設けられている。
【００６４】
このように、複数の方向に延びる切込部17が形成されたことで、基材シート14の伸張に伴い、パッド材16が切込部17によって様々な方向に伸張および分断できるので、傷保護材11の伸縮性および柔軟性をより向上できる。
【００６５】
次に、第７の実施の形態を図８を参照して説明する。なお、上記の実施の形態と同様の構成および作用については、同一符号を付してその説明を省略する。
【００６６】
図８に示されるように、傷保護材11が非伸張状態で、所定の幅を有する切込部としての溝部18が形成、それぞれが溝部１8を介して離間された小パッド19によりパッド材16が形成されている。
【００６７】
ここで、小パッド19の形状は、平面視で、例えば図８（ａ）のような矩形状や図８（ｂ）のような円形状等のように限定されず、また、配設される小パッド19の数は限定されない。
【００６８】
また、溝部18の幅寸法は限定されず、全ての溝部18の幅が一定でなくてもよい。
【００６９】
このように、それぞれが溝部18を介して離間された小パッド19によりパッド材16が形成されたことで、パッド材16が溝部18によって複数方向にスムーズに伸張でき、傷保護材11の伸縮性および柔軟性が向上できる。
【００７０】
さらに、傷保護材11が非伸張状態であっても、溝部18によって滲出液がパッド材16全体に伝わるので、滲出液を効率的に吸収できる。
【００７１】
本発明は、創傷部の治療の補助材として使用される傷保護材に利用可能である。
【図面の簡単な説明】
【００７２】
【図１】（ａ）は本発明の第１の実施の形態の傷保護材を示す平面図であり、（ｂ）は前記傷保護材を示す断面図である。
【図２】（ａ）は同上傷保護材の伸張状態を示す平面図であり、（ｂ）は同上傷保護材の伸張状態を示す断面図である。
【図３】本発明の第２の実施の形態の傷保護材を示す平面図である。
【図４】本発明の第３の実施の形態の傷保護材を示す断面図である。
【図５】（ａ）は本発明の第４の実施の形態の傷保護材を示す平面図であり、（ｂ）は前記傷保護材の伸張状態を示す平面図である。
【図６】本発明の第５の実施の形態の傷保護材を示す平面図である。
【図７】本発明の第６の実施の形態の傷保護材を示す平面図である。
【図８】（ａ）は本発明の第７の実施の形態の傷保護材を示す平面図であり、（ｂ）は前記傷保護材のパッド材の形状の違いを示す平面図である。
【符号の説明】
【００７３】
11    傷保護材
12    肌接触面
13    非肌接触面
14    基材シート
15    接着剤層
16    パッド材
17    切込部
18    溝部
19    小パッド
【図１】
2008259629.tif 000003
【図２】
2008259629.tif 000004
【図３】
2008259629.tif 000005
【図４】
2008259629.tif 000006
【図５】
2008259629.tif 000007
【図６】
2008259629.tif 000008
【図７】
2008259629.tif 000009
【図８】
2008259629.tif 000010